(57)【特許請求の範囲】
【請求項１】
加熱手段で加熱された湯水を内部に貯湯する、略円筒形の缶体と、
前記缶体の径方向外周部を覆うように設けられ、横断面略円弧状の２つの真空断熱材片に分割された真空断熱材と、
前記真空断熱材の径方向外周部を覆うように設けられ、横断面略円弧状の２つの発泡断熱材片に分割された発泡断熱材と
を有する貯湯式給湯機において、
前記２つの真空断熱材片を、
周方向両端部どうしが互いに径方向に重なる２つのオーバーラップ部を形成するように配置し、
前記２つのオーバーラップ部それぞれの周方向位置を、前記２つの発泡断熱材片が互いに周方向に突き合わされる突き合わせ部の周方向位置と一致させており、
前記２つの真空断熱材片は、
前記缶体の前面側に配置される第１断熱材片と、
前記缶体の背面側に配置される第２断熱材片とを含み、
前記２つのオーバーラップ部のうち一方のオーバーラップ部では、前記第１断熱材片が第２断熱材片の径方向外側において径方向に重なり、
前記２つのオーバーラップ部のうち他方のオーバーラップ部では、前記第２断熱材片が第１断熱材片の径方向外側において径方向に重なり、
前記２つの発泡断熱材片のそれぞれは、
前記第１断熱材片及び前記第２断熱材片のうち、各オーバーラップ部において径方向外側に位置する断熱材片が当該オーバーラップ部外で径方向内側へ戻るように曲折する曲折部に倣う、曲面部を備える
ことを特徴とする貯湯式給湯機。
【請求項２】
前記第１断熱材片及び前記第２断熱材片は、それぞれ、
略真空状態の内部に所定の芯材が充填された袋部と、
前記袋部の外周側に位置する耳部と
を備えており、
かつ、
前記第１断熱材片及び前記第２断熱材片は、
いずれの前記オーバーラップ部においても、前記耳部が前記袋部の径方向外側に折りたたまれつつ、互いに径方向に重なっている
ことを特徴とする請求項１記載の貯湯式給湯機。
【請求項３】
前記２つの発泡断熱材片のそれぞれは、
前記第１断熱材片及び前記第２断熱材片のうち、各オーバーラップ部において径方向外側に位置する断熱材片の、横断面略直線状に延びる周方向端部を収納する、収納部を備える
ことを特徴とする請求項２記載の貯湯式給湯機。
【請求項４】
前記収納部は、
各発泡断熱材片の径方向内周面に、横断面略矩形形状で備えられている
ことを特徴とする請求項３記載の貯湯式給湯機。
【請求項５】
前記曲面部は、
各発泡断熱材片の径方向内周面に、横断面略円弧形状で備えられている
ことを特徴とする請求項１〜請求項４の何れか１項に記載の貯湯式給湯機。
【請求項６】
前記２つの発泡断熱材片のそれぞれは、
前記オーバーラップ部の径方向外側で、前記突き合わせ部において互いに係合する係合段付き部を、周方向両端部に備える
ことを特徴とする請求項１〜請求項５の何れか１項に記載の貯湯式給湯機。
【請求項７】
前記２つの真空断熱材片による前記オーバーラップ部の周方向寸法を、前記突き合わせ部の周方向寸法より大きくした
ことを特徴とする請求項１〜請求項６の何れか１項に記載の貯湯式給湯機。
【発明の詳細な説明】
【技術分野】
【０００１】
この発明は、給湯用の湯水を貯湯する缶体の外周部に断熱材を設けた貯湯式給湯機に関するものである。
【背景技術】
【０００２】
従来よりこの種の貯湯式給湯機においては、特許文献１に記載のように、略円筒形の缶体（貯湯タンク）の径方向外周部に真空断熱材を設け、その真空断熱材のさらに径方向外周部に発泡断熱材（外周部断熱材）を設けたものがあった。
【先行技術文献】
【特許文献】
【０００３】
【特許文献１】特開２０１３−２４４６４号公報
【発明の概要】
【発明が解決しようとする課題】
【０００４】
ところでこの従来のものでは、前記真空断熱材についても前記発泡断熱材についても、前記略円筒形の缶体の周方向全周を覆うような、横断面略円環形状となっている。ここで、取り付け時の作業性を向上するために、缶体の外周部に取り付けられる真空断熱材を、横断面略円弧状の２つの真空断熱材片に分割する構造が考えられる。同様に、真空断熱材の外周部に取り付けられる発泡断熱材も、取り付け時の作業性を向上するために、横断面略円弧状の２つの発泡断熱材片に分割する構造が考えられる。
【０００５】
しかし、真空断熱材及び発泡断熱材を単純に前記のような２分割構造とした場合、構造上、２つの断熱材片どうし周方向に互いに突き合わされる突き合わせ部が生じ、そのままでは、真空断熱材片どうしの前記突き合わせ部及び発泡断熱材片どうしの前記突き合わせ部を介し缶体の熱が放熱することで、保温性能が低下するという問題があった。
【課題を解決するための手段】
【０００６】
上記問題を解決するために、本発明の請求項１では、加熱手段で加熱された湯水を内部に貯湯する、略円筒形の缶体と、前記缶体の径方向外周部を覆うように設けられ、横断面略円弧状の２つの真空断熱材片に分割された真空断熱材と、前記真空断熱材の径方向外周部を覆うように設けられ、横断面略円弧状の２つの発泡断熱材片に分割された発泡断熱材とを有する貯湯式給湯機において、前記２つの真空断熱材片を、周方向両端部どうしが互いに径方向に重なる２つのオーバーラップ部を形成するように配置し、前記２つのオーバーラップ部それぞれの周方向位置を、前記２つの発泡断熱材片が互いに周方向に突き合わされる突き合わせ部の周方向位置と一致させており、前記２つの真空断熱材片は、前記缶体の前面側に配置される第１断熱材片と、前記缶体の背面側に配置される第２断熱材片とを含み、前記２つのオーバーラップ部のうち一方のオーバーラップ部では、前記第１断熱材片が第２断熱材片の径方向外側において径方向に重なり、前記２つのオーバーラップ部のうち他方のオーバーラップ部では、前記第２断熱材片が第１断熱材片の径方向外側において径方向に重なり、前記２つの発泡断熱材片のそれぞれは、前記第１断熱材片及び前記第２断熱材片のうち、各オーバーラップ部において径方向外側に位置する断熱材片が当該オーバーラップ部外で径方向内側へ戻るように曲折する曲折部に倣う、曲面部を備えるものである。
【０００８】
また、請求項２では、前記第１断熱材片及び前記第２断熱材片は、それぞれ、略真空状態の内部に所定の芯材が充填された袋部と、前記袋部の外周側に位置する耳部とを備えており、かつ、前記第１断熱材片及び前記第２断熱材片は、いずれの前記オーバーラップ部においても、前記耳部が前記袋部の径方向外側に折りたたまれつつ、互いに径方向に重なっているものである。
【０００９】
また、請求項３では、前記２つの発泡断熱材片のそれぞれは、前記第１断熱材片及び前記第２断熱材片のうち、各オーバーラップ部において径方向外側に位置する断熱材片の、横断面略直線状に延びる周方向端部を収納する、収納部を備えるものである。
【００１０】
また、請求項４では、前記収納部は、各発泡断熱材片の径方向内周面に、横断面略矩形形状で備えられているものである。
【００１２】
また、請求項５では、前記曲面部は、各発泡断熱材片の径方向内周面に、横断面略円弧形状で備えられているものである。
【００１３】
また、請求項６では、前記２つの発泡断熱材片のそれぞれは、前記オーバーラップ部の径方向外側で、前記突き合わせ部において互いに係合する係合段付き部を、周方向両端部に備えるものである。
【００１４】
また、請求項７では、前記２つの真空断熱材片による前記オーバーラップ部の周方向寸法を、前記突き合わせ部の周方向寸法より大きくしたものである。
【発明の効果】
【００１５】
この発明の請求項１によれば、内部に湯水を貯湯するのに用いられる略円筒形の缶体の径方向外周部に保温用の真空断熱材が設けられ、その真空断熱材のさらに径方向外周部に発泡断熱材が設けられる。このとき、缶体への取り付け時の作業性を向上するために、真空断熱材は横断面略円弧状の２つの真空断熱材片に分割された構造となっている。この結果、そのままでは、真空断熱材片どうしの突き合わせ部から缶体の熱が放熱することで、保温性能が低下するおそれがある。
【００１６】
そこで、請求項１によれば、前記２つの真空断熱材片を缶体の外周部に配置する際、周方向両端部どうしを互いに径方向に重ねるようにしてオーバーラップ部を形成する。これにより、真空断熱材片どうしの間に隙間がなくなるので、上記放熱を防止することができる。
【００１７】
一方、前記真空断熱材と同様、取り付け時の作業性を向上するために、発泡断熱材も横断面略円弧状の２つの発泡断熱材片に分割された構造となっている。このとき、前記のようにオーバーラップ部では真空断熱材片が径方向に二重に重なって十分な断熱性能を果たすようになっている。そして、前記２つの発泡断熱材片を真空断熱材の外周部に配置する際、それらが突き合わされる突き合わせ部の周方向位置を、前記オーバーラップ部の周方向位置と一致させる（言い替えれば、真空断熱材片のオーバーラップ部の径方向外側に、発泡断熱材片の突き合わせ部を設ける）。このようにして、既に真空断熱材によって十分な保温性能が確保されている部位に発泡断熱材片の突き合わせ部を配置することで、缶体から外部へ向かう放熱量を減少させ、給湯機全体として十分な保温性能を確保することができる。以上の結果、請求項１によれば、断熱材の取り付け時の作業性を確保しつつ、十分な保温性能を確保することができる。
【００１８】
また、真空断熱材の２つの断熱材片について、一方のオーバーラップ部では内側に第２断熱材片、外側に第１断熱材片の重なり状態とし、他方のオーバーラップ部では内側に第１断熱材片、外側に第２断熱材片の重なり状態とする。この結果、第１断熱材片及び第２断熱材片に対し、缶体の熱を内側で一次的に遮熱する機能とその外側で二次的に遮熱する機能とを両オーバーラップ部においてそれぞれ均等に振り分け、分担することができる。
また、各オーバーラップ部において径方向外側に位置しオーバーラップ部外で径方向内側へと戻る、断熱材片の曲折部を、曲面部によって確実に位置決めしつつ保持することができる。
【００１９】
また、請求項２によれば、袋部のほかに耳部を備える真空断熱材片が用いられる場合であっても、確実にオーバーラップ部を構築することができる。また、各断熱材片において、耳部を袋部の径方向外側に折りたたんで配置することにより、さらに確実にオーバーラップ部における遮熱効果を得ることができる。
【００２０】
また、請求項３によれば、各オーバーラップ部において径方向外側に位置する断熱材片の周方向端部を、収納部によって収納し、確実に位置決めしつつ保持することができる。
【００２１】
また、請求項４によれば、横断面略直線状に延びる周方向端部を、横断面略矩形形状の収納部によって、確実にフィットさせつつ安定的に保持することができる。
【００２３】
また、請求項５によれば、曲折しながら径方向内側へと戻る曲折部を、横断面略円弧形状の曲面部によって、確実にフィットさせつつ安定的に保持することができる。
【００２４】
また、請求項６によれば、各発泡断熱材片の周方向両端部に設けられた係合段付き部を互いに係合させることで、２つの発泡断熱材片を真空断熱材の径方向外周部に組み付けるときの組み付け性を向上することができる。また、段付き形状とすることで、突き合わせ部を介した放熱に対する遮熱効果もある。
【００２５】
また、請求項７によれば、２つの発泡断熱材片の突き合わせ部の周方向寸法（言い替えれば外部に露出する開口寸法）よりも、２つの真空断熱材片どうしのオーバーラップ寸法を大きくすることで、オーバーラップ部において高い断熱性能を確実に得ることができる。
【図面の簡単な説明】
【００２６】
【図１】本発明の一実施形態の貯湯式給湯機の全体概略構成図
【図２】缶体及びその周囲構造の詳細を表す分解斜視図
【図３】図２中の矢印ＩＩＩ方向からの矢視図に相当する模式側面図
【図４】缶体の径方向外側における、真空断熱材片及び発泡断熱材片の配置状態を表す、図３中のＩＶ−ＩＶ断面による横断面図
【図５】真空断熱材及び発泡断熱材を単純に２分割した比較例を表す横断面図
【図６】発泡断熱材片が係合段付き部を備える変形例における、オーバーラップ部の拡大横断面図
【図７】真空断熱材片が袋部及び耳部を備える変形例における、真空断熱材片の外観を表す側面図、及び、図７（ａ）中のＶＩＩｂ−ＶＩＩｂ断面による横断面図
【図８】図７に示す変形例における、オーバーラップ部の拡大横断面図
【発明を実施するための形態】
【００２７】
次に、本発明の一実施の形態を図１〜図５に基づいて説明する。
【００２８】
本実施形態の貯湯式給湯機を備えた貯湯式給湯装置の全体概略構成を図１に示す。図１において、この貯湯式給湯装置１００は、時間帯別契約電力の電力単価が安価な深夜時間帯に湯水を沸き上げて貯湯しこの貯湯した湯水を給湯に用いるもので、湯水を貯湯する缶体２（貯湯タンク）を備えた貯湯タンクユニット１と、缶体２内の湯水を加熱する加熱手段としてのヒートポンプユニット３と、台所や洗面所等にそれぞれ設けられた給湯栓４と、例えば給湯栓４の近傍に設けられた給湯リモコン５と、浴槽６と、を有する。
【００２９】
前記貯湯タンクユニット１は、筐体となる外装ケース（図示省略）の内部に設置される前記缶体２と、缶体２の上部に接続された出湯管１２と、缶体２の下部に接続された給水管１３と、出湯管１２からの高温水と給水管１３から分岐されたバイパス管１４からの低温水とを混合するミキシング弁１５と、ミキシング弁１５の下流に接続された給湯管１６と、給湯管１６から分岐され浴槽６に接続された湯張り管２０と、湯張り管２０の開閉を行う湯張り弁２１と、出湯管１２から分岐するよう接続されて缶体２の過圧を逃す過圧逃し弁２３と、給湯管１６に設けられた給湯温度センサ１７と、給湯管１６に設けられた給湯流量センサ１８と、給水管１３に設けられた給水圧を減圧する減圧弁２４と、給水管１３に設けられた給水温度センサ１９と、湯張り管２０を流れる流量を積算する湯張り流量センサ２２と、マイクロコンピュータを備えてこの貯湯タンクユニット１の各種機器の制御を行う給湯制御部２５とを有する。
【００３０】
前記缶体２には、上下方向に沿って複数個のサーミスタ２９が配置されている。これらのサーミスタ２９が検出する温度情報によって、缶体２内にどれだけの熱量が残っているかが検知され、さらに缶体２内の上下方向の温度分布が検知される。
【００３１】
前記缶体２と前記ヒートポンプユニット３とは、湯水を循環させるヒーポン往き管２６及びヒーポン戻り管２７からなる加熱循環回路２８により接続されている。前記ヒートポンプユニット３は、ヒートポンプ回路３４と、ヒーポン循環ポンプ３６と、それらの駆動を制御するヒーポン制御部３９とを備えている。前記ヒートポンプ回路３４は、二酸化炭素冷媒を圧縮する圧縮機３０と、凝縮器としての冷媒−水熱交換器３１と、電子膨張弁３２と、強制空冷式の蒸発器３３とで構成されている。前記加熱循環回路２８の冷媒−水熱交換器３１入口側には、冷媒−水熱交換器３１に流入する湯水の温度を検出する熱交入口温度センサ３７が設けられ、加熱循環回路２８の冷媒−水熱交換器３１出口側には、冷媒−水熱交換器３１から流出する湯水の温度を検出する熱交出口温度センサ３８が設けられている。
【００３２】
前記給湯リモコン５には、給湯設定温度を設定する給湯温度設定スイッチ４０と、ふろ設定温度を設定するふろ温度設定スイッチ４２と、前記ふろ設定温度の湯を湯張り量設定スイッチ４１で設定された湯張り量だけ浴槽６へ湯張りして所定時間保温させるふろ自動スイッチ４３と、適宜の表示を行う表示部４５と、マイクロコンピュータを備え前記給湯制御部２５と通信を行うリモコン制御部（図示せず）と、を備えている。
【００３３】
次に、図２及び図３を用いて、前記缶体２及びその周囲構造の詳細について説明する。なお、図示の煩雑を避けるために、缶体２に接続される各種配管及び前記外装ケース等は省略している。また、以下の説明において、上下方向、前後方向、左右方向は、図２等の各図中に適宜示す矢印方向に対応している。この図２において、缶体２は全体が略円筒形に形成された金属製の中空缶であり、その周囲に、缶体２の径方向外周部をほぼ全周にわたって覆う真空断熱材５０と、この真空断熱材５０を含めた缶体２全体を覆う発泡断熱材６０と、発泡断熱材６０で覆われた缶体２を上部に載置するベース部５７と、が設けられている。
【００３４】
真空断熱材５０は、前方側（言い換えれば前記缶体２の前面側）に位置する真空断熱材片５１（第１断熱材片）と、後方側（言い換えれば前記缶体２の背面側）に位置する真空断熱材片５２（第２断熱材片）とに２分割された構造となっている。各真空断熱材片５１，５２は、例えばアルミフィルムの袋体の内部にグラスウールを芯材として充填させた上でほぼ真空状態とした構造体であり、例えば平板状形状の断熱材母材をロール加工されることによって全体が概ね略半円筒形（横断面略円弧状）に形成されている。そして、図示する例では、前方側真空断熱材片５１及び後方側真空断熱材片５２は、缶体２の径方向外側表面に対して、それぞれ対向する略１８０°の範囲（詳細には１８０°よりも若干大きい角度。後述の図５４等参照）を覆っている。また、各真空断熱材片５１，５２は、例えばポリプロピレンフィルムからなるテープ等、適宜の固定具によって缶体２に固定されている（煩雑防止のために図示省略）。
【００３５】
発泡断熱材片６０は、前記缶体２の上面を覆うよう略半球形に形成された上部発泡断熱材片５３と、前記缶体２の下面を覆うよう略半球形に形成された下部発泡断熱材片５４と、前記缶体２の径方向外側表面に対してそれぞれ対向する１８０°の範囲（詳細には１８０°よりも若干小さい角度。後述の図５４等参照）で覆うよう略半円筒形（横断面略円弧状）に形成された前方側発泡断熱材片５５及び後方側真空断熱材片５６とに、４分割された構造となっている。各発泡断熱材片５３〜５６は、機械的な剛性を有する材料（例えば耐熱性発泡ポリスチレン）からなる成形品である。なお、図中では、前記下部発泡断熱材片５４は前記ベース部５７と一体に設けられているものである。また、前記前方側・後方側発泡断熱材片５５，５６の内径は、（後述のオーバーラップ部ＯＰ１，ＯＰ２を除き）缶体２の外周表面を覆った前記真空断熱材片５１，５２の外径と略同じとなるように設定されており、前記前方側・後方側発泡断熱材片５５，５６は、前記真空断熱材片５１，５２の径方向外周部を（後述の突き合わせ部Ｓ１，Ｓ２を除き）ほぼ全周にわたって覆う。
【００３６】
以上の基本構成を備える貯湯式給湯装置１００における、前記前方側発泡断熱材片５５、前記後方側発泡断熱材片５６、前記前方側真空断熱材片５１、及び前記後方側真空断熱材片５２の配置構造詳細について、図４を用いて説明する。なお、図４においては、図示の煩雑防止のために、缶体２は外形のみを想像線で略示している（後述の図５も同様）。
【００３７】
図４に示すように、前記前方側真空断熱材片５１及び前記後方側真空断熱材片５２は、周方向両端部どうしが互いに径方向に重なる、図示右側に位置するオーバーラップ部ＯＰ１及び図示左側に位置するオーバーラップ部ＯＰ２を形成するように、配置されている。
【００３８】
すなわち、前方側真空断熱材片５１は、周方向一方側（図示右側の前記オーバーラップ部ＯＰ１側）の末端部が径方向外側に湾曲した形状となっており、その末端部近傍において横断面略直線状に延びる端部５１ａ（周方向端部）と、前記端部５１ａの周方向他方側（前記オーバーラップ部ＯＰ２側）に連設され前記オーバーラップ部ＯＰ１外で径方向内側へ戻るように曲折する曲折部５１ｂと、を備えている。なお、前記前方側真空断熱材片５１のうち端部５１ａ及び曲折部５１ｂ以外の部分は、略円環形状の中間部５１ｄとなっている。同様に、後方側真空断熱材片５２も、周方向一方側（図示左側の前記オーバーラップ部ＯＰ２側）の末端部が径方向外側に湾曲した形状となっており、その末端部近傍において横断面略直線状に延びる端部５２ａ（周方向端部）と、前記端部５２ａの周方向他方側（前記オーバーラップ部ＯＰ１側）に連設され前記オーバーラップ部ＯＰ２外で径方向内側へ戻るように曲折する曲折部５２ｂと、を備えている。なお、前記後方側真空断熱材片５２のうち端部５２ａ及び曲折部５２ｂ以外の部分は、略円環形状の中間部５２ｄとなっている。
【００３９】
前記オーバーラップ部ＯＰ１においては、前記前方側真空断熱材片５１の前記端部５１ａが、前記後方側真空断熱材片５２の周方向他方側の端部５２ｃの、径方向外側に重なっている。同様に、前記オーバーラップ部ＯＰ２においては、前記後方側真空断熱材片５２の前記端部５２ａが、前記前方側真空断熱材片５１の周方向他方側の端部５１ｃの、径方向外側に重なっている。
【００４０】
また、前記前方側発泡断熱材片５５及び前記後方側発泡断熱材片５６は、周方向両端部どうしが互いに突き合わされる２つの突き合わせ部（図示右側の突き合わせ部Ｓ１及び図示左側の突き合わせ部Ｓ２）を形成するように、配置される。
【００４１】
すなわち、前方側発泡断熱材片５５の周方向一方側（図示右側の前記オーバーラップ部ＯＰ１側）の端部５５ｄと、前記後方側発泡断熱材片５６の周方向他方側の（図示右側の前記オーバーラップ部ＯＰ１側）の端部５６ｄとの間に、前記突き合わせ部Ｓ１が形成され、この突き合わせ部Ｓ１の周方向位置は、前記オーバーラップ部ＯＰ１の周方向位置と一致している。このとき、前記後方側発泡断熱材片５６の前記端部５６ｅの近傍の内周面には、前記オーバーラップ部ＯＰ１において径方向外側に位置している前記前方側真空断熱材片５１の前記端部５１ａを収納する、横断面略矩形形状の収納部５６ａが備えられている。また、前記前方側発泡断熱材片５５の前記端部５５ｄの近傍の内周面には、前記前方側真空断熱材片５１の前記曲折部５１ｂに倣う曲面部５５ｂが、横断面略円弧形状で備えられている。
【００４２】
また、前方側発泡断熱材片５５の周方向他方側（図示左側の前記オーバーラップ部ＯＰ２側）の端部５５ｅと、前記後方側発泡断熱材片５６の周方向他方側の（図示左側の前記オーバーラップ部ＯＰ２側）の端部５６ｄとの間に、前記突き合わせ部Ｓ２が形成され、この突き合わせ部Ｓ２の周方向位置は、前記オーバーラップ部Ｓ２の周方向位置と一致している。このとき、前記前方側発泡断熱材片５５の前記端部５５ｅの近傍の内周面には、前記オーバーラップ部ＯＰ２において径方向外側に位置している前記後方側真空断熱材片５２の前記端部５２ａを収納する、横断面略矩形形状の収納部５５ａが備えられている。また、前記後方側発泡断熱材片５６の前記端部５６ｄの近傍の内周面には、前記後方側真空断熱材片５２の前記曲折部５２ｂに倣う曲面部５６ｂが、横断面略円弧形状で備えられている。
【００４３】
なお、前記のようなオーバーラップ部ＯＰ１，ＯＰ２の構成において、オーバーラップ部ＯＰ１，ＯＰ２それぞれの周方向寸法である長さＬは、前記突き合わせ部Ｓ１，Ｓ２の周方向寸法である間隙Ｍよりも大きくなっている。なお、構造の明確化のために、図４及びその他の各図においては、突き合わせ部Ｓ１，Ｓ２の広がりを大きく誇張して図示しているが、実際は、これら突き合わせ部Ｓ１，Ｓ２は、発泡断熱材を前記前方側発泡断熱材片５５及び前記後方側発泡断熱材片５６の２分割構造とする必要性からやむなく生じるものであって、比較的小さいものである（すなわち前記間隙Ｍの大きさは比較的小さい）。但し、オーバーラップ部ＯＰ１，ＯＰ２における真空断熱材片５１，５２の重なりにより十二分な断熱性能を確保できる場合には、前記突き合わせ部Ｓ１，Ｓ２の広がりを比較的大きくとる（前記間隙Ｍを比較的大きくする）ようにしてもよい。
【００４４】
以上のように構成した本実施形態では、略円筒形の缶体２の径方向外周部に真空断熱材５０が設けられる。このとき、真空断熱材５０を前記２つの真空断熱材片（前方側真空断熱材片５１及び後方側真空断熱材片５２）への分割構造とすることで、缶体２への取り付け時の作業性を向上することができる。また、前記真空断熱材５０のさらに径方向外周部には発泡断熱材６０が設けられる。このとき、発泡断熱材６０のうち前記径方向外周部の部分を、前記２つの発泡断熱材片（前方側発泡断熱材片５５及び後方側発泡断熱材片５６）への分割構造とすることで、前記同様、真空断熱材５０の外周部へ取り付ける時の作業性を向上することができる。
【００４５】
しかしながら、前記のように真空断熱材５０や発泡断熱材６０を単純に２分割構造とした場合には、図４に対応する図５に示す比較例のように、そのままでは、真空断熱材片５１，５２どうしの突き合わせ部及び発泡断熱材片５５，５６どうしの突き合わせ部から缶体の熱が放熱し（矢印ア，イ参照）、保温性能が低下するおそれがある。
【００４６】
そこで、本実施形態では、２分割構造の前記前方側真空断熱材片５１及び前記後方側真空断熱材片５２を缶体２の外周部に配置する際、それらの周方向両端部どうしを互いに径方向に重ねるようにして前記オーバーラップ部ＯＰ１，ＯＰ２を形成する。これにより、真空断熱材片５１，５２どうしの間に隙間がなくなるので、上記放熱を防止することができる。
【００４７】
一方、本実施形態では、前記真空断熱材５０と同様、取り付け時の作業性を向上するために、発泡断熱材６０も２つの発泡断熱材片（前方側発泡断熱材片５５及び後方側発泡断熱材片５６）に分割されている。このとき、前記のようにオーバーラップ部ＯＰ１，ＯＰ２では真空断熱材片５１，５２が径方向に二重に重なって十分な断熱性能を果たすようになっている。そこで、本実施形態では、前記２つの発泡断熱材片５５，５６を真空断熱材片５１，５２の外周部に配置する際、それらが周方向に突き合わされる突き合わせ部Ｓ１，Ｓ２の周方向位置を、前記オーバーラップ部Ｓ１，Ｓ２の周方向位置とそれぞれ一致させる（言い替えれば、真空断熱材片５１，５２のオーバーラップ部ＯＰ１，ＯＰ２の径方向外側に、発泡断熱材片５５，５６の突き合わせ部Ｓ１，Ｓ２を設ける）。このようにして、既に真空断熱材片５１，５２によって十分な保温性能が確保されている部位に発泡断熱材片５５，５６の突き合わせ部Ｓ１，Ｓ２を配置することで、缶体２から外部へ向かう放熱量を減少させ、給湯機全体として十分な保温性能を確保することができる。以上の結果、本実施形態によれば、断熱材５０，６０の取り付け時の作業性を確保しつつ、十分な保温性能を確保することができるものである。
【００４８】
また、本実施形態では特に、オーバーラップ部ＯＰ１では内側に後方側真空断熱材片５２、外側に前方側真空断熱材片５１の重なり状態とし、オーバーラップ部ＯＰ２では前方側真空断熱材片５１、外側に後方側真空断熱材片５２の重なり状態とする。この結果、前方側真空断熱材片５１及び後方側真空断熱材片５２に対し、缶体２の熱を内側で一次的に遮熱する機能とその外側で二次的に遮熱する機能とを両オーバーラップ部ＯＰ１，ＯＰ２においてそれぞれ均等に振り分け、分担することができるものである。
【００４９】
また、本実施形態では特に、前方側発泡断熱材片５５及び後方側真空断熱材片５２が、収納部５５ａ，５６ａをそれぞれ備える。これにより、各オーバーラップ部ＯＰ１，ＯＰにおいて径方向外側にそれぞれ位置する真空断熱材片５２，５１の端部５２ａ，５１ａを、収納部５６ａ，５５ａによって収納し、確実に位置決めしつつ保持できるものである。
【００５０】
また、本実施形態では特に、前記収納部５５ａ，５６ａは、各発泡断熱材片５５，５６の径方向内周面に、横断面略矩形形状で備えられている。これにより、横断面略直線状に延びる後方側真空断熱材片５２の端部５２ａや前方側真空断熱材片５１の端部５１ａを、横断面略矩形形状の前記収納部５５ａ，５６ａによって、確実にフィットさせつつ安定的に保持できるものである。
【００５１】
また、本実施形態では特に、各発泡断熱材片５５，５６は、前方側真空断熱材片５１の曲折部５１ｂ及び後方側真空断熱材片５２の曲折部５２ｂにそれぞれ倣う、曲面部５５ｂ、５６ｂを備える。これにより、各オーバーラップ部ＯＰ１，ＯＰ２において径方向外側に位置しオーバーラップ部ＯＰ１，ＯＰ２外で径方向内側へと戻る、真空断熱材片５１，５２の曲折部５１ｂ，５２ｂを、曲面部５５ｂ，５６ｂによって確実に位置決めしつつ保持できるものである。
【００５２】
また、本実施形態では特に、前記曲面部５５ｂ，５６ｂは、各発泡断熱材片５５，５６の径方向内周面に、横断面略円弧形状で備えられている。これにより、曲折しながら径方向内側へと戻る曲折部５１ｂ，５２ｂを、横断面略円弧形状の曲面部５５ｂ，５６ｂによって、確実にフィットさせつつ安定的に保持できるものである。
【００５３】
また、本実施形態では特に、前記真空断熱材片５１，５２による前記オーバーラップ部ＯＰ１，ＯＰ２の前記長さＬを、前記突き合わせ部Ｓ１，Ｓ２の前記間隙Ｍより大きくしている。これにより、２つの発泡断熱材片５５，５６どうしの隙間寸法（言い替えれば外部に露出する開口寸法）よりも、２つの真空断熱材片５１，５２どうしのオーバーラップ寸法が大きくなるので、オーバーラップ部ＯＰ１，ＯＰ２において高い断熱性能を確実に得ることができるものである。
【００５４】
なお、本発明は上記実施形態に限定されるものではなく、発明の要旨を変更しない範囲で種々の変更が可能である。例えば、上記図４中右側の拡大図に対応する図６に示すように、オーバーラップ部ＯＰ１の径方向外側において、前方側発泡断熱材片５５の周方向一方側（オーバーラップ部ＯＰ１側）に設けた係合段付き部５５Ａと、後方側発泡断熱材片５６の周方向他方側（オーバーラップ部ＯＰ１側）に設けた係合段付き部５６Ａとを、前記突き合わせ部Ｓ１を介しつつ互いに係合させる構造としてもよい。なお、図示を省略しているが、オーバーラップ部ＯＰ２の径方向外側においても、上記同様に、前記前方側発泡断熱材片５５の周方向他方側（オーバーラップ部ＯＰ２側）に設けた同様の係合段付き部と、後方側発泡断熱材片５６の周方向一方側（オーバーラップ部ＯＰ２側）に設けた係合段付き部とが、前記突き合わせ部Ｓ２を介しつつ互いに係合している（すなわち、前方側発泡断熱材片５５及び後方側発泡断熱材片５６は、それぞれ、周方向両端部に前記係合段付き部を備えている）。
【００５５】
この場合、各発泡断熱材片５５，５６の周方向両端部の前記係合段付き部５５Ａ，５６Ａ等を互いに係合させることで、２つの発泡断熱材片５５，５６を真空断熱材片５１，５２の径方向外周部に組み付けるときの組み付け性を向上することができる。また、段付き形状とすることで、突き合わせ部Ｓ１，Ｓ２の形状をクランク形状とすることができるとともに、突き合わせ部Ｓ１，Ｓ２の周方向寸法である上記間隙Ｍを小さくできるので、前記放熱に対する遮熱効果もあるものである。
【００５６】
また、例えば、真空断熱材片５１，５２として、図７（ａ）及び図７（ｂ）に示すように、略真空状態の内部に所定の芯材（例えば前記のグラスウール。但し図示省略）が充填された袋部ＢＡと、袋部ＢＡの外周側に位置する耳部Ｂｅとを備えたものが用いられる場合がある。このような場合には、図８に示すように、各オーバーラップ部ＯＰ１，ＯＰ２において、真空断熱材片５１，５２のいずれについても、前記耳部Ｂｅを前記袋部ＢＡの径方向外側に折りたたむようにしつつ、径方向に重ねればよい。
【００５７】
この変形例によれば、袋部ＢＡのほかに耳部Ｂｅを備える真空断熱材片５１，５２が用いられる場合であっても、確実に前記オーバーラップ部ＯＰ１，ＯＰ２を構築することができる。また、各真空断熱材片５１，５２において、耳部Ｂｅを袋部ＢＡの径方向外側に折りたたんで配置することにより、さらに確実にオーバーラップ部ＯＰ１，ＯＰ２における遮熱効果を得ることができるものである。
【００５８】
また、上記実施形態では、加熱手段をヒートポンプユニット３で構成した場合を例にとって説明したが、これに限られない。すなわち、太陽熱、ガス、液体燃料による給湯機や、電熱ヒータによる電気温水器や、コージェネレーションシステムの廃熱回収装置等を前記加熱手段として用いても良い。
【符号の説明】
【００５９】
１                貯湯タンクユニット（貯湯式給湯機）
２                缶体
３                ヒートポンプユニット（加熱手段）
５０              真空断熱材
５１              前方側真空断熱材片（第１断熱材片）
５２              後方側真空断熱材片（第２断熱材片）
５５              前方側発泡断熱材片
５５Ａ            係合段付き部
５５ａ            収納部
５５ｂ            曲面部
５６              後方側発泡断熱材片
５６Ａ            係合段付き部
５６ａ            収納部
５６ｂ            曲面部
６０              発泡断熱材
１００            貯湯式給湯装置
ＢＡ              袋部
Ｂｅ              耳部
ＯＰ１，ＯＰ２    オーバーラップ部
Ｓ１，Ｓ２        突き合わせ部
【図１】
0006387309.tif 000002
【図２】
0006387309.tif 000003
【図３】
0006387309.tif 000004
【図４】
0006387309.tif 000005
【図５】
0006387309.tif 000006
【図６】
0006387309.tif 000007
【図７】
0006387309.tif 000008
【図８】
0006387309.tif 000009